(57)【要約】【課題】わらじ状の草履を作製する際、椅子に座って作業することができる草履作製冶具を提供する。【解決手段】冶具１の板状本体２の一方の端部の表面１１には紐状体１３を縦に配置するための４本のピン３が立設され、前記本体２の中央部よりも一方の端部側の裏面１２には脚部６が形成されている草履作製冶具とした。そして、脚部６を、シート状の弾性体であるゴムシート７で被覆した。また、ピン３は、円柱状の柱体部４と、その柱体部の先端に一体化して形成され、柱体部４の直径よりも大なる直径の円盤状の頭部５とからなるようにした。更に、本体２の表面１１において、ピン３が立設された端部とは反対側の端部には目盛り１０を形成した。【選択図】図１
0003136628.tif 000002
【実用新案登録請求の範囲】
【請求項１】
複数本の紐状体を縦に配置し、その紐状体の間に別の紐状体を横方向に通して編み上げるわらじ状の草履の作製冶具において、その冶具の板状本体の一方の端部表面には紐状体を縦に配置するための複数のピンが立設され、前記本体の中心部より一方の端部側の裏面には脚部が形成されていることを特徴とする草履作製冶具。
【請求項２】
前記脚部は、その表面がシート状の弾性体で被覆されていることを特徴とする請求項１に記載の草履作製冶具。
【請求項３】
前記弾性体は、その材質がゴムであることを特徴とする請求項２に記載の草履作製冶具。
【請求項４】
前記ピンは、円柱状の柱体部と、その柱体部の先端に一体化して形成され、柱体部の直径よりも大なる直径の円盤状の頭部とからなることを特徴とする請求項１ないし３のうちいずれか一項に記載の草履作製冶具。
【請求項５】
前記板状本体の表面において、ピンが立設された端部とは反対側の端部表面には目盛りが形成されていることを特徴とする請求項１ないし４のうちいずれか一項に記載の草履作製冶具。
【考案の詳細な説明】
【技術分野】
【０００１】
本考案は、わらじ状の草履を作製するための冶具に関する。
【背景技術】
【０００２】
近年、健康志向のライフスタイルの一環として素足に布製の草履を履くことが散見されるようになってきた。この草履は、布の端切れ等を撚って紐状にした上で、その紐状体をわらじを作る要領で編み上げるものが主流となっている。また、市販されている草履を購入して履くだけでは物足らず、インターネット等において様々に紹介されている草履の作り方に従い、自ら草履を作製してその草履を履くことも行われている。
【考案の開示】
【考案が解決しようとする課題】
【０００３】
上記草履の作り方として、古典的なわらじの作り方そのままに、足の指に紐状体を掛ける作り方が紹介されていたり、足の指を模した冶具を用意してわらじを作る作り方が紹介されたりしている。それらの冶具としては、土間の上に筵を敷いてその上に座って行う作業同様、床の上に座って行う作業に用いられる冶具が数種類紹介されている。また、床の上に座るスタイルとは異なり、例えばテーブル上にテープ止めした針金製のフックに紐状体を掛けて、椅子に座って作業をする形態も紹介されている。
【０００４】
ところが、椅子に座って草履を作るための使い勝手のよい冶具は開示されていないのが実情である。
本考案は、椅子に座ってわらじ状の草履を作製することができる草履作製冶具を提供することにある。
【課題を解決するための手段】
【０００５】
上記課題を解決するために請求項１に記載の草履作製冶具は、複数本の紐状体を縦に配置し、その紐状体の間に別の紐状体を横方向に通して編み上げるわらじ状の草履の作製冶具において、その冶具の板状本体の一方の端部表面には紐状体を縦に配置するための複数のピンが立設され、前記本体の中心部より一方の端部側の裏面には脚部が形成されていることを特徴とするものである。
【０００６】
請求項２に記載の考案は、請求項１に記載の草履作製冶具において、前記脚部は、その表面がシート状の弾性体で被覆されていることを特徴とするものである。
請求項３に記載の考案は、請求項２に記載の草履作製冶具において、前記弾性体は、その材質がゴムであることを特徴とするものである。
【０００７】
請求項４に記載の考案は、請求項１ないし３のうちいずれか一項に記載の草履作製冶具において、前記ピンは、円柱状の柱体部と、その柱体部の先端に一体化して形成され、柱体部の直径よりも大なる直径の円盤状の頭部とからなることを特徴とするものである。
【０００８】
請求項５に記載の考案は、請求項１ないし４のうちいずれか一項に記載の草履作製冶具において、前記板状本体の表面において、ピンが立設された端部とは反対側の端部表面には目盛りが形成されていることを特徴とするものである。
【０００９】
（作用）
本考案の草履作製冶具の板状の本体の表面には、複数本の紐状体を縦に配置するためのピンが設けられ、本体の中心より一方の端部側の裏面には脚部が設けられている。そのため、冶具をテーブルの上で使用する場合、脚部と本体の他方の端部とがテーブル上面に置かれれば、前記本体の一方の端部側がほぼ脚部の分だけ高くなり、冶具の姿勢が適度な傾斜となるように保たれる。すると、草履作製者は、冶具及びピンに掛けた紐状体の全体を適度な角度で見下ろしながら、作業を行うことができる。また、本体の一方の端部側の裏面及び脚部をテーブルの端や椅子の背もたれの頂部に掛けて、冶具本体の他方の端部を大腿部又は大腿部の付け根付近で支えれば、冶具の姿勢（傾斜）をある程度任意に保つことができる。すると、紐状体を扱う手首の角度を作業のしやすい角度に保つことができる。
【００１０】
また、脚部の一部又は全部をゴムシートで被覆すれば、滑り止めとなるばかりかテーブルや椅子の背もたれを傷付ける虞がなくなる。
【考案の効果】
【００１１】
本考案によれば、テーブルや椅子の背もたれを用いて支えることができる冶具を用いて、椅子に座った姿勢のままでわらじ状の草履を作製することができる。
【考案を実施するための最良の形態】
【００１２】
（第１の実施形態）
以下、本考案を具体化した草履作製冶具の一実施形態を図１及び図２を用いて説明する。
【００１３】
図１（ａ）に示すように、冶具１の本体２の一方の端部である先端部８に近い表面１１には、４本のピン３が、本体２の長手方向に直交する方向に等間隔に立設されている。ピン３は、円柱状の柱体部４と、その柱体部４の先端に一体化して形成され、柱体部４の直径よりも大なる直径の円盤状の頭部５からなっている。そして、頭部５が形成されている側とは反対側の柱体部４の端部は、本体２に穿設された孔に嵌合されている。本実施形態では、ピン３は本体２に対し着脱可能に嵌合されているが、接着剤を用いて接着固定されてもよい。
【００１４】
図１（ａ）及び（ｂ）に示すように、角柱状の脚部６が、冶具１の本体２の裏面１２において、本体２の中央部よりも先端部８側の位置、具体的にはピン３が立設される位置付近に形成されている。前記脚部６の長さ（左右方向）は、４本のピン３のうち外側に位置する２本のピン３の柱体部４のそれぞれの外側を結ぶ距離にほぼ等しくなっている。本実施形態における脚部６は、接着剤を用いて接着固定されているが、ねじ止等により着脱可能に固定されてもよい。また、図１（ｂ）に示すように、脚部６の後側面６３、底面６２、前側面６１及び脚部６と先端部８との間の裏面１２には、シート状の弾性体であるゴムシート７が接着剤を用いて貼着されている。このゴムシート７は、必ずしも前記した部位の全面に貼着する必要はなく、少なくとも底面６２及び前側面６１のほぼ全面に被覆されればよい。また、本実施形態では、シート状の弾性体としてゴムシート７を用いたが、他の合成樹脂製のシート状弾性体であってもよい。
【００１５】
冶具１の本体２の他方の端部である後端部９近くの表面１１には、草履の幅を計るための目盛り１０が形成されている。
図２（ａ）（ｂ）は、本実施形態の冶具１を用いて草履を作製する場合の、ピン３に対して紐状体１３を掛けて縦に配置する状態を示すものである。図２（ａ）は４本のピン３の全てを使用する場合を示している。左側に位置する紐状体１３は左端のピン３に掛けられた後に右側中央よりのピン３に掛けられ手元側（後端部９側）に引き寄せられている。右側に位置する紐状体１３は右端のピン３に掛けられた後に左側中央よりのピン３に掛けられ手元側に引き寄せられている。このとき紐状体１３に対して一旦は手元側に引き寄せる力をかけるものの、紐状体１３はピン３の頭部５から容易には外れないので、紐状体１３に常に力を入れている必要はなく、自然状態においても構わない。左右に位置する紐状体１３は手元側で一本の紐状体として連結している。このように、４本のピン３を用いて草履を作製すれば、その草履は比較的幅の広いものにすることができる。また、紐状体１３の太さを比較的太いものとする場合にも、４本のピン３を使用することが作業を容易にする。
【００１６】
図２（ｂ）は４本のピン３のうち３本を使用する場合を示す。図２（ａ）において示したように、４本のピン３を使用する場合に対し、３本のピン３を使用すれば、比較的幅の狭い草履の作製に適しており、また、比較的細い紐状体１３を用いる場合に適している。
【００１７】
図３は本実施形態の草履作製冶具を用いてわらじ状の草履を作製する様子の一形態を示している。草履作製者は、冶具１の先端部８に近い裏面１２をテーブル１４に載せ、脚部６をテーブル１４の端１５にあてがった上で、冶具１の後端部９を自分の大腿部の付け根付近で支えている。そうすることで、草履作製者は、冶具１をより適切な傾斜で保持することが可能となり、楽な姿勢で草履の作製作業ができる。
【００１８】
また、図示はしないが、４本のピン３のうち２本のみを使用すれば、装飾物又は玩具として適した草履のミニチュアを作製することができる。
上記実施形態の草履作製冶具によれば、以下のような効果を得ることができる。
【００１９】
（１）上記実施形態では、ピン３を、円柱状の柱体部４と、その柱体部４の先端に一体化され、柱体部４の直径よりも大なる直径の円盤状の頭部５とで形成した。そのため、紐状体１３をピン３に掛けた場合、紐状体１３を常に引き寄せるようにしなくても、紐状体１３はピン３から容易には外れないので、楽な姿勢で作業を行うことができる。
【００２０】
（２）上記実施形態では、４本のピン３を、本体２の先端部８に近い表面１１に等間隔に立設したので、４本の全て、４本のうち３本又は２本のみを使用する場合のように使い分けができる。そのため、比較的幅の広い草履、比較的幅の狭い草履あるいはミニチュア草履を、一つの冶具１を用いて容易に作製することができる。
【００２１】
（３）上記実施形態では、本体２の中心部より一方の端部側の裏面１２に脚部６を形成した。そのため、冶具１をテーブル上に置けば、冶具１は適当な角度で傾斜することになり、冶具１が水平に置かれた場合に比較して、草履の作製作業が前かがみにならなくて済む。また、冶具１の先端部８に近い裏面１２を、テーブル１４あるいは椅子の背もたれの頂部に載せ、脚部６を、テーブル１４の端１５あるいは椅子の背もたれにあてがった上で、冶具１の後端部９を大腿部または大腿部の付け根付近で支えることができる。そうすることで、冶具１をより適切な傾斜で保持することが可能となり、楽な姿勢で草履の作製作業ができる。従って、作業を楽に継続することができる。
【００２２】
（４）上記実施形態では、本体２の裏面１２の一部及び脚部６の前側面６１、底面６２及び後側面６３にゴムシート７を被覆した。そのため、冶具１をテーブル等の家具を利用して使っても、家具の表面で滑ることもなく、また家具を傷付けることなく草履の作製作業をすることができる。
【００２３】
（５）上記実施形態では、本体２の後端部９に近い表面１１に目盛り１０を形成した。そのため、草履を作製する作業の間の任意の時点で、草履の幅等を確認しながら作業を進めることができる。
【００２４】
（変更例）
なお、上記実施形態は以下のように変更してもよい。
・上記実施形態においては、柱体部４の形状を円柱状としたが、円柱状に限らず角柱状であってもよい。その際、頭部５の形状は円盤状であってもよいが、角柱を内接する円の直径よりも大きな外径寸法を有する角板状であってもよい。
・上記実施形態においては、脚部６を、４本のピン３のうち外側に位置する２本のピン３の柱体部４のそれぞれの外側を結ぶ距離にほぼ等しい長さの角柱状とし、その長手方向を本体２の先端部８に平行に、かつ本体２の裏面１２に沿うように形成した。しかし、脚部６は、その軸方向を本体２の裏面１２に直交するように配置した円柱体又は角柱体としてもよい。その際、脚部６の数を１個として、上記実施形態における角柱状の脚部６が配置された本体２の長手方向の同位置において、本体２の幅方向の中央部に設けてもよい。また、脚部６の数を複数として、同じく本体２の長手方向の同位置において、適宜間隔をおいて配置し形成してもよい。
【図面の簡単な説明】
【００２５】
【図１】（ａ）は本実施形態の冶具の正面図、（ｂ）はその側面図。
【図２】（ａ）は実施例において４本のピンを用いる場合を示す部分正面図、（ｂ）は３本のピンを用いる場合を示す部分正面図。
【図３】本実施形態の一使用状態を示す側面図。
【符号の説明】
【００２６】
１…冶具、２…本体、３…ピン、４…柱体部、５…頭部、６…脚部、７…ゴムシート、１３…紐状体
【図１】
0003136628.tif 000003
【図２】
0003136628.tif 000004
【図３】
0003136628.tif 000005